(57)【要約】      （修正有）【課題】使用済みの複数のマスクを一括して除菌することが可能な、簡単な構造のマスク紫外線除菌装置を提供する。【解決手段】天井４に殺菌灯２が設置され、左右の内壁に棒体を係止する係止部材３が設けられた筐体１と、棒体に移動自在に吊るされて板状物を挟持する複数の挟持部材と、使用済みマスクの本体相互をシールドする、該マスク本体よりも寸法が大きいシールド板と、を備え、係止部材に係止して懸け渡された棒体に一つずつ吊るされた挟持部材に使用済みマスク本体とシールド板とを交互に挟持し、点灯された殺菌灯から照射される紫外線で使用済みマスクを除菌する。【選択図】図１
0003229286.tif 000002
【実用新案登録請求の範囲】
【請求項１】
天井に殺菌灯が設置され、左右の内壁に棒体を係止する係止部材が設けられた筐体と、
前記棒体に移動自在に吊るされ、板状物を挟持する複数の挟持部材と、
使用済みマスクの本体相互をシールドする、該マスク本体よりも寸法が大きいシールド板と、を備え、
前記係止部材に係止して懸け渡された前記棒体に一つずつ順番に吊るされた前記挟持部材で前記使用済みマスク本体と前記シールド板とを交互に挟持し、点灯された前記殺菌灯から照射される紫外線で前記使用済みマスクを除菌することを特徴とするマスク紫外線除菌装置。
【請求項２】
前記筐体及び前記棒体は、プラスチック又は金属で成形されたものであって、
該筐体の正面は開口していることを特徴とする請求項１記載のマスク紫外線除菌装置。
【請求項３】
前記殺菌灯は、電源をON・OFFさせる時刻が設定自在なタイマーを有することを特徴とする請求項１記載のマスク紫外線除菌装置。
【請求項４】
前記筐体は、前記開口を開閉する扉が設置され、四方の内面、天井及び底面に、アルミ板が装着されたことを特徴とする請求項２記載のマスク紫外線除菌装置。
【考案の詳細な説明】
【技術分野】
【０００１】
本考案は、使用済みのマスクを紫外線で除菌するマスク紫外線除菌装置に関するものである。
【背景技術】
【０００２】
従来からマスクは、風邪、インフルエンザなどの罹患予防、他者への感染防止のほか、花粉症の発症予防、防寒保温等を目的として使用されている。特に、昨今では、人の細胞に寄宿して増殖する感染性の強い新型コロナウイルスが蔓延しており、感染防止の観点から手洗い・消毒の励行や、人が密着する空間におけるマスクの着用が必須になっている。
一方、ウイルスに感染している人への対応や、ウイルス自体に接する機会の多い医療機関や研究機関などでは、装着したマスクや衣類に、ウイルスが付着している可能性が究めて高いので、マスクや衣類を頻繁に取替える必要がある。
使用済みの衣類や医療器具、食器などは紫外光による殺菌がなされ、衣類は、さらにクリーニングに付される。
しかしながら、紫外線は波長の長さによってエネルギーが異なるほか、波長によっては光触媒の活性化による除菌作用も得られることから、紫外光源と光触媒によるマスクや医療用具などの殺菌・消臭システムが提案されている（特許文献１参照）。
また、紫外線殺菌灯は、照射面は、殺菌されるが、非照射面は全く殺菌されないという問題点があることから、例えば布類（ガーゼ、マスク等）、食器類等が収納され、殺菌灯が照射される収納室とは区分された室内にプラズ発生装置を配置し、発生したプラズマイオンを送風機で循環させて、紫外線の照射が届かない部位にも隈なく殺菌できるようにした複合殺菌装置が提案されている（特許文献２参照）。
【先行技術文献】
【特許文献】
【０００３】
【特許文献１】特開２０１１−４５８１０号公報
【特許文献２】公開実用Ｓ５９−４１４３６号公報
【考案の概要】
【考案が解決しようとする課題】
【０００４】
殺菌灯による殺菌作用は波長253.7nm付近が最も強く、そ の殺菌力は直射日光にも含まれている波長350nmの紫外放射の約 1,600倍にも達すると言われており、その 紫外放射による殺菌は、菌の種類や生息条件によって効果は異な るが、各種の菌種に対し有効であると言われている。また殺菌力は、菌種、温度、湿度、その他の条件によって異なるが、殺菌線量即ち殺菌線照度×照射時間（秒）によってあらわされる。一方、使用済みマスクは、平面的形状をなしているので、照射方法を工夫すれば、紫外線のみでも十分除菌が可能である。
本考案は、上記の事情に鑑み、使用済みの複数のマスクを一括して除菌することが可能な、簡単な構造のマスク紫外線除菌装置を提供することを目的とする。
【課題を解決するための手段】
【０００５】
本考案のマスク紫外線除菌装置は、天井に殺菌灯が設置され、左右の内壁に棒体を係止する係止部材が設けられた筐体と、上記棒体に移動自在に吊るされて板状物を挟持する複数の挟持部材と、使用済みマスクの本体相互をシールドする、該マスク本体よりも寸法が大きいシールド板と、を備え、上記係止部材に係止して懸け渡された上記棒体に一つずつ吊るされた上記挟持部材に上記使用済みマスク本体と上記シールド板とを交互に挟持し、点灯された上記殺菌灯から照射される紫外線で上記使用済みマスクを除菌することを特徴とする。
このように、筐体に懸け渡した棒体に使用済みマスクを吊り下げる際に、中間にシールドを挟むことにすれば、相互に干渉することなく多数のマスクを吊り下げることが出来るので、天井から紫外線を照射する殺菌灯によってそれら多数の使用済みマスクを一度に除菌して繰り返し使用することができる。
ここで上記筐体及び上記棒体は、プラスチック又は金属で形成されたものであって、
該筐体の正面が開口していれば、使用済みマスクの吊り下げや取り外し、殺菌ランプの取り替えが容易である。
また、上記殺菌灯は、電源をON・OFFする時刻を設定するタイマーが設けられたことが好ましい。
このようにタイマーが設定されていれば、除菌中は無人にすることができる。
さらに、上記筐体は、上記開口を開閉する扉が設置され、四方の内面、天井及び底面に、アルミ板が装着されたことも好ましい。
このように、内面に反射率の高いアルミ板を装着すれば、使用済みマスクに一層強力な紫外線を均一に照射することができる。
【考案の効果】
【０００６】
本考案のマスク紫外線除菌装置は、一度に複数の使用済みマスクを収納し、1時間乃至２時間でウイルス等の除菌ができるので、マスクを多量に消費する機関などに設置すれば、マスクの繰り返し使用が可能になる。
【図面の簡単な説明】
【０００７】
【図１】図１は、第１の実施形態のマスク紫外線除菌装置の筐体を示す斜視図である。
【図２】図２は、殺菌灯の一例を示す図である。
【図３】図３は、筐体内に掛け渡される棒体を示す図である。
【図４】図４は、筐体内に棒体を掛け渡した状態を示す正面図である。
【図５】図５は、開口を開閉する扉が設置された筐体の例を示す図である。
【考案を実施するための形態】
【０００８】
以下に、本考案のマスク紫外線除菌装置の実施形態を図に基いて説明する。
図１は、本実施形態のマスク紫外線除菌装置の筐体を示す斜視図である。
図１に示すように、本実施形態の筐体１は、天井４に殺菌灯２が設置され、左右の内壁５に棒体を係止する係止部材３が設けられている。
そして、筐体１は、プラスチック又は金属で箱型に形成され、天井４と底面、左右の内壁５及び背面は壁があるが、正面には壁のない開口部６になっている。
筐体１の寸法は、例えば、幅が３８０ｍｍ、奥行きが２５０ｍｍ、高さが３２０ｍｍで、
１０Wの殺菌灯のガラス管の長さ３３０ｍｍが天井４に取付可能な幅を有し、棒体７を係止する係止部材３が天井４から概ね８０ｍｍ程度の位置に設置されている。
したがって、棒体７は、底面から概ね２４０ｍｍ程度の高さに係止される。
但し、ここで示した数値は一例であって、ここで示した数値に限定する必要はなく、例えばガラス管の長さが４３６ｍｍの１５Wの殺菌灯を設置する場合には、筐体１の幅を４９０ｍｍ程度にすることができる。
【０００９】
図２は、殺菌灯の一例を示す図である。
図２に一例として示す殺菌灯２には、１０Wの殺菌ランプ１１が用いられている。
殺菌ランプ１１は、殺菌線を透過する特殊ガラスで管壁がつくられてお り、その内部の両端にはタングステンの２ 重コイルからなる電極があり、その電極には、電子放射物質が塗布されている。また、管内にはアルゴ ンガスと少量の水銀が封入されており、電極に電流が流れると、ランプ内部に存在する水銀から 多量の紫外線が発生する。その紫外線は主として253.7nmの 波長のもので、紫外放射透過ガラスを透して外部へ出て、ウイルスなどの除菌を行う。
ここで、殺菌灯２には、電源のON・OFFスイッチ１３のほか、電源をON・OFFする時刻を設定するタイマー１２を設けることができる。
【００１０】
図３は、筐体内に掛け渡される棒体を示す図である。
図３に示すように、棒体７はプラスチック又は金属製で、リング付き洗濯バサミ（以下、「本考案の挟持部材」と称する。）１４が一つずつ、洗濯バサミを下に向けて、５つ吊るされている。そして、それぞれのリング付き洗濯バサミ１４は、使用済みマスク本体１５と、使用済みマスク本体１５相互をシールドするシールド板１６とを交互に挟持している。すなわち、棒体７には、３つに使用済みマスク本体１５と２枚のシールド板１６が交互に吊るされている。
シールド板１６は、マスクとマスクが直接接触しないようにシールドするもので、マスク本体の寸法よりも大きければよく、プラスチック製であっても、布製であっても、紙製であってもよい。また、本実施形態では、挟持部材として洗濯バサミにリング状の紐を取り付けたリング付き洗濯バサミ１４を用いているが、必ずしもこれに限定する必要はなく、棒体７に一つずつ移動自在に吊るすことが可能で、板状物を着脱自在に挟持できればよい。
【００１１】
図４は、本実施形態のマスク紫外線除菌装置の正面図である。
図４に示す本実施形態のマスク紫外線除菌装置１０は、筐体１の天井４に１０Wの殺菌ランプ１１殺菌ランプを設置した殺菌灯２と、左右の内壁５に設けた係止部材３に掛け渡された棒体７に吊るされた１５個のリング付洗濯バサミ１４に、８つの使用済みマスク本体１５と７枚のシールド板１６とが交互に挟持されている。
ここで示す棒体７は、筐体１の幅に応じて、３７０ｍｍ程度としており、リング付き洗濯バサミ１４の間隔を１５ｍｍ程度にすれば、使用済みマスク本体１５を一度に８乃至１０個吊り下げることができる。
但し、ガラス管の長さが例えば４３６ｍｍの１５Wの殺菌ランプ１１を設置する場合には、棒体も概ね４３０ｍｍ程度になり、筐体１の横幅をそれに応じた大きさにすれば、使用済みマスク本体１５を一度に１４乃至１５吊り下げることができる。
【００１２】
図５は、開口部に扉を設置した筐体の例を示す図である。
図４に示す筐体１は、開口部６を開閉する扉１７が設置されているので、扉１７を閉めると殺菌灯２の紫外線が外部に漏れる量は極めて少なくなる。従って、内壁にアルミ板１８を装着して、紫外線の反射を促進することができる。その結果、使用済みマスク本体１５に照射される紫外線は、より一層強く、均等、照射されるようになり、より短い時間で使用済みマスクを除菌することができる。
【産業上の利用可能性】
【００１３】
使用済みマスクを除菌することができるので、マスクが繰り返し使用可能になる
【符号の説明】
【００１４】
１    筐体
２    殺菌灯
３    係止部材
４    天井
５    左右の内壁
６    開口部
７    棒体
１０  マスク紫外線除菌装置
１１  殺菌ランプ
１２  タイマー
１３  スイッチ
１４  リング付洗濯バサミ
１５  使用済みマスク本体
１６  シールド板
１７  扉
１８  アルミ板
【図１】
0003229286.tif 000003
【図２】
0003229286.tif 000004
【図３】
0003229286.tif 000005
【図４】
0003229286.tif 000006
【図５】
0003229286.tif 000007